(57)【要約】【課題】  ユーザの状態がより望ましい状態になるように、ユーザの行動を間接的に誘導することができる情報提供装置を提供する。【解決手段】  情報提供装置１は、心拍センサ１０及び画像センサ１１からの検出信号に基づいて運転者の状態を推定する状態推定部１３と、運転者に呈示するための複数の情報を記憶する情報記憶部１４と、状態推定部１３により推定された運転者の状態に基づいて、運転者の行動を誘導する方向を設定し、設定された誘導方向に応じて、情報記憶部１４に記憶されている複数の情報を用いて運転者に呈示する情報を構成する情報構成部１５と、情報構成部１５により構成された情報を出力する情報出力装置１６とを備える。【選択図】  図１
2006031475.tif 000002
【特許請求の範囲】
【請求項１】
人の状態を推定する状態推定手段と、
前記人に呈示するための複数の情報を記憶する記憶手段と、
前記状態推定手段により推定された前記人の状態に基づいて、前記人の行動を誘導する方向を設定し、設定された前記誘導方向に応じて、前記記憶手段に記憶されている前記複数の情報を用いて前記人に呈示する情報を構成する情報構成手段と、
前記情報構成手段により構成された情報を出力する出力手段と、を備えることを特徴とする情報提供装置。
【請求項２】
人の状態を推定する状態推定手段と、
前記人に呈示するための複数の情報を記憶する記憶手段と、
前記状態推定手段により推定された前記人の状態を前記記憶手段に送信すると共に、前記記憶手段から出力された複数の情報を受信する通信手段と、
前記状態推定手段により推定された前記人の状態に基づいて、前記人の行動を誘導する方向を設定し、設定された前記誘導方向に応じて、前記通信手段により受信された前記複数の情報を用いて前記人に呈示する情報を構成する情報構成手段と、
前記情報構成手段により構成された情報を出力する出力手段と、を備えることを特徴とする情報提供装置。
【請求項３】
人の生体情報や動作状態に関する人体情報を検出する人体情報検出センサを備え、
前記状態推定手段は、前記人体情報検出センサにより検出された人体情報に基づいて前記人の生理状態又は心理状態のうち少なくとも１つの状態を推定することを特徴とする請求項１又は２に記載の情報提供装置。
【請求項４】
前記情報は、音声情報であることを特徴とする請求項１〜３のいずれか１項に記載の情報提供装置。
【請求項５】
前記情報は、音声情報と画像情報との組み合わせにより構成されていることを特徴とする請求項１〜３のいずれか１項に記載の情報提供装置。
【請求項６】
前記情報は、商品情報又はサービス情報のうち少なくとも一方を含むことを特徴とする請求項２〜５のいずれか１項に記載の情報提供装置。
【請求項７】
前記情報構成手段により構成された情報中に前記商品情報又はサービス情報が含まれる場合に、前記商品情報又はサービス情報の提供者に対価を課金する課金手段を備えることを特徴とする請求項６に記載の情報提供装置。
【請求項８】
前記人の視線を検出する視線検出手段を備え、
前記情報構成手段は、前記視線検出手段により検出された前記視線をさらに考慮して、前記人に呈示する情報を構成することを特徴とする請求項１〜７のいずれか１項に記載の情報提供装置。
【請求項９】
人の状態を推定する状態推定ステップと、
前記状態推定ステップで推定された前記人の状態に基づいて、前記人の行動を誘導する方向を設定し、設定された前記誘導方向に応じて、記憶手段に記憶されている複数の情報を用いて前記人に呈示する情報を構成する情報構成ステップと、
前記情報構成ステップで構成された情報を出力する出力ステップと、を備えることを特徴とする情報提供方法。
【請求項１０】
人の状態を推定する状態推定ステップと、
前記状態推定ステップで推定された前記人の状態を複数の情報が記憶されている記憶手段に送信すると共に、前記記憶手段から出力された複数の情報を受信する通信ステップと、
前記状態推定ステップで推定された前記人の状態に基づいて、前記人の行動を誘導する方向を設定し、設定された前記誘導方向に応じて、前記通信ステップで受信された前記複数の情報を用いて前記人に呈示する情報を構成する情報構成ステップと、
前記情報構成ステップで構成された情報を出力する出力ステップと、を備えることを特徴とする情報提供方法。
【請求項１１】
前記状態推定ステップでは、人の生体情報や動作状態に関する人体情報を検出する人体情報検出センサにより検出された人体情報に基づいて前記人の生理状態又は心理状態のうち少なくとも１つの状態を推定することを特徴とする請求項９又は１０に記載の情報提供方法。
【請求項１２】
前記情報は、音声情報であることを特徴とする請求項９〜１１のいずれか１項に記載の情報提供方法。
【請求項１３】
前記情報は、音声情報と画像情報との組み合わせにより構成されていることを特徴とする請求項９〜１１のいずれか１項に記載の情報提供装置。
【請求項１４】
前記情報は、商品情報又はサービス情報のうち少なくとも一方を含むことを特徴とする請求項１０〜１３のいずれか１項に記載の情報提供装置。
【請求項１５】
前記情報構成ステップで構成された情報中に前記商品情報又はサービス情報が含まれる場合に、前記商品情報又はサービス情報の提供者に対価を課金する課金ステップを備えることを特徴とする請求項１４に記載の情報提供装置。
【請求項１６】
前記人の視線を検出する視線検出ステップを備え、
前記情報構成ステップでは、前記視線検出ステップで検出された前記視線をさらに考慮して、前記人に呈示する情報を構成することを特徴とする請求項９〜１５のいずれか１項に記載の情報提供方法。
【発明の詳細な説明】
【技術分野】
【０００１】
本発明は、情報提供装置及び情報提供方法に関する。
【背景技術】
【０００２】
状況に応じてユーザの好みに合致する音楽の曲を自動的に選択して再生する音声再生装置が特許文献１に記載されている。
【０００３】
特許文献１記載の音声再生装置によれば、複数の曲に対して、曲が再生される時の周囲の環境、ユーザの状況、日時などに応じて、検索情報が自動的に付加される。そのため、付加された検索情報を使用して、周囲の環境、ユーザの状況、日時などに適した曲を再生することができる。また、例えば、深夜の高速道路での運転時に、運転者に眠気を誘うような、再生することが不適切な曲の再生を行わないようにすることができる。
【特許文献１】特開２００３−１４０６６４号公報
【発明の開示】
【発明が解決しようとする課題】
【０００４】
上記音声再生装置によれば、周囲環境やユーザの状況等に適した曲を再生すること、又は適さない曲の再生を行わないようにすることができる。しかしながら、ユーザの状態をより望ましい状態に誘導すること、例えば、運転者の状態を運転により適した状態に誘導することは考慮されていない。
【０００５】
本発明は、上記問題点を解消する為になされたものであり、ユーザの状態がより望ましい状態になるように、ユーザの行動を誘導することができる情報提供装置を提供することを目的とする。
【課題を解決するための手段】
【０００６】
本発明に係る情報提供装置は、人の状態を推定する状態推定手段と、人に呈示するための複数の情報を記憶する記憶手段と、状態推定手段により推定された人の状態に基づいて、人の行動を誘導する方向を設定し、設定された誘導方向に応じて、記憶手段に記憶されている複数の情報を用いて前記人に呈示する情報を構成する情報構成手段と、情報構成手段により構成された情報を出力する出力手段とを備えることを特徴とする。
【０００７】
本発明に係る情報提供方法は、人の状態を推定する状態推定ステップと、状態推定ステップで推定された人の状態に基づいて、人の行動を誘導する方向を設定し、設定された誘導方向に応じて、記憶手段に記憶されている複数の情報を用いて前記人に呈示する情報を構成する情報構成ステップと、情報構成ステップで構成された情報を出力する出力ステップとを備えることを特徴とする。
【０００８】
本発明に係る情報提供装置又は情報提供方法によれば、推定された人の状態に基づいて、その人の状態をより望ましい状態にするための誘導方向が設定される。そして、設定された誘導方向に応じて、記憶手段に記憶されている複数の情報を用いて呈示情報が構成される。その結果、誘導方向に応じた意図を有する情報列を人に呈示することが可能となる。
【０００９】
本発明に係る情報提供装置は、人の状態を推定する状態推定手段と、人に呈示するための複数の情報を記憶する記憶手段と、状態推定手段により推定された人の状態を記憶手段に送信すると共に、記憶手段から出力された複数の情報を受信する通信手段と、状態推定手段により推定された人の状態に基づいて、人の行動を誘導する方向を設定し、設定された誘導方向に応じて、通信手段により受信された複数の情報を用いて前記人に呈示する情報を構成する情報構成手段と、情報構成手段により構成された情報を出力する出力手段とを備えることを特徴とする。
【００１０】
本発明に係る情報提供方法は、人の状態を推定する状態推定ステップと、状態推定ステップで推定された人の状態を複数の情報が記憶されている記憶手段に送信すると共に、記憶手段から出力された複数の情報を受信する通信ステップと、状態推定ステップで推定された人の状態に基づいて、人の行動を誘導する方向を設定し、設定された誘導方向に応じて、通信ステップで受信された複数の情報を用いて前記人に呈示する情報を構成する情報構成ステップと、情報構成ステップで構成された情報を出力する出力ステップとを備えることを特徴とする。
【００１１】
本発明に係る情報提供装置又は情報提供方法によれば、複数の情報を記憶している記憶手段から通信によって情報を取得することができるので、記憶手段の容量等からくる制限、例えば情報の種類や量等の制限が緩和されると共に、情報の追加や更新をより容易に行うことが可能となる。
【００１２】
本発明に係る情報提供装置では、人の生体情報や動作状態に関する人体情報を検出する人体情報検出センサを備え、状態推定手段が、人体情報検出センサにより検出された人体情報に基づいて人の生理状態又は心理状態のうち少なくとも１つの状態を推定することが好ましい。
【００１３】
本発明に係る情報提供方法では、状態推定ステップにおいて、人の生体情報や動作状態に関する人体情報を検出する人体情報検出センサにより検出された人体情報に基づいて人の生理状態又は心理状態のうち少なくとも１つの状態を推定することが好ましい。
【００１４】
このようにすれば、心拍数、脈拍数等の生体情報や顔の向き、瞳孔径等の動作状態に関する人体情報を検出することにより、人の生理状態や心理状態を推定することができる。
【００１５】
上記情報は、音声情報又は音声情報と画像情報との組み合わせにより構成されていることが好ましい。この場合、例えばニュース、音楽、対談、クイズ等の音声情報を組み合わせて構成することにより、誘導方向に応じた仮想的なラジオ番組を構成することができる。また、音声情報と画像情報とを組み合わせて構成することにより、誘導方向に応じた仮想的なテレビ番組を構成することができる。
【００１６】
また、上記情報は、商品情報又はサービス情報のうち少なくとも一方を含むことが好適である。このようにすれば、人の状態をより望ましい状態にする商品やサービスの情報を呈示することが可能となる。
【００１７】
本発明に係る情報提供装置は、情報構成手段により構成された情報中に商品情報又はサービス情報が含まれる場合に、商品情報又はサービス情報の提供者に対価を課金する課金手段を備えることが好ましい。
【００１８】
本発明に係る情報提供方法は、情報構成ステップで構成された情報中に商品情報又はサービス情報が含まれる場合に、商品情報又はサービス情報の提供者に対価を課金する課金ステップを備えることが好ましい。
【００１９】
このようによれば、人の状態をより望ましい状態にする商品やサービスの情報を呈示した場合に、情報を提供する者に対して宣伝広告に対する対価を課金することが可能となる。
【００２０】
本発明に係る情報提供装置は、人の視線を検出する視線検出手段を備え、情報構成手段が、視線検出手段により検出された視線をさらに考慮して、人に呈示する情報を構成することが好ましい。
【００２１】
本発明に係る情報提供方法は、人の視線を検出する視線検出ステップを備え、情報構成ステップでは、視線検出ステップで検出された視線をさらに考慮して、人に呈示する情報を構成することが好ましい。
【００２２】
このようにすれば、検出された視線に基づいて、情報内容に対する興味の有無を判断することができるので、情報を呈示される人の興味に合わせて情報内容を構成することが可能となる。その結果、提供される情報の影響力を向上させることが可能となる。
【発明の効果】
【００２３】
本発明によれば、情報の提供を受ける人、すなわちユーザの状態に基づいて設定された誘導方向に応じて呈示情報を構成する構成としたので、ユーザの状態がより望ましい状態になるように、ユーザの行動を誘導することが可能となる。
【発明を実施するための最良の形態】
【００２４】
以下、図面を参照して本発明の好適な実施形態について詳細に説明する。図中、同一又は相当部分には同一符号を用いることとする。
【００２５】
まず、図１を用いて、本実施形態に係る情報提供装置１の全体構成について説明する。図１は、第１実施形態に係る情報提供装置１の全体構成を示すブロック図である。以下、情報の提供を受ける人が、車両の運転者である場合を例にして説明する。
【００２６】
（第１実施形態）
情報提供装置１では、ディスプレイでの表示出力やスピーカからの音声出力等によって、車両の運転者に対して各種情報を提供する。情報提供装置１では、運転者から得られる各種人体情報に基づいて運転者の状態を推定する。そして、情報提供装置１では、推定された運転者の状態から運転者の行動を誘導する方向を設定すると共に、設定された誘導方向に応じて運転者に呈示する情報を構成して出力する。そのために、情報提供装置１は、心拍センサ１０、画像センサ１１、電子制御装置（以下「ＥＣＵ」という）１２を備えており、ＥＣＵ１２に状態推定部１３、情報記憶部１４、情報構成部１５が構成されている。また、情報提供装置１は、情報の呈示手段としてナビゲーション等の様々な機能を有する情報出力装置１６を備えている。
【００２７】
心拍センサ１０は、生体情報である運転者の心拍数を検出するセンサである。心拍センサ１０では、その検出した心拍数を心拍信号としてＥＣＵ１２に出力する。ちなみに、人は覚醒度が低下すると心拍数が低下する。なお、運転者の生体情報を検出するセンサとしては、運転者の心拍数を検出する心拍センサ１０の他、運転者の精神電流皮膚抵抗を検出する皮膚抵抗反射センサ（ＧＳＲ）、運転者の呼吸数を検出するセンサ、運転者の血圧を検出するセンサ等を用いることができる。
【００２８】
画像センサ１１は、カメラと画像処理装置からなり、運転者の動作状態を検出するセンサである。例えば、画像センサ１１では、カメラで運転者の顔を撮像し、画像処理装置によりその撮像画像から瞳を認識し、瞳孔径を計測する。そして、画像センサ１１では、その検出した瞳孔径を画像信号としてＥＣＵ１２に出力する。ちなみに、瞳孔径からまばたきを検出することができる。ちなみに、覚醒度が低下すると、まばたきの回数が増加する。なお、運転者の動作状態を検出するセンサとしては、画像センサ１１の他、ハンドルの操舵角を検出するセンサやアクセル踏込み量を検出するセンサ等を用いることができる。心拍センサ１０及び画像センサ１１は、人体情報検出センサとして機能する。
【００２９】
ＥＣＵ１２は、演算を行うマイクロプロセッサ、マイクロプロセッサに各処理を実行させるためのプログラム等を記憶するＲＯＭ、演算結果などの各種データを記憶するＲＡＭ及び１２Ｖバッテリによってその記憶内容が保持されるバックアップＲＡＭ等により構成されている。
【００３０】
状態推定部１３は、心拍センサ１０からの心拍信号及び画像センサ１１からの画像信号を一定時間毎に読み込み、心拍信号と画像信号に基づいて運転者の生理状態や心理状態等を推定する。すなわち、状態推定部１３は状態推定手段として機能する。状態推定部１３において推定された運転者の状態は、情報構成部１５に出力される。
【００３１】
情報記憶部１４は、運転者に呈示する情報を記憶しておくものである。情報記憶部１４に記憶される情報としては、例えば、静止画や動画の画像情報や音声情報等が挙げられる。また、シートを振動させる強さやタイミング等の数値情報、エアコンディショナの風量、風向きや温度等の数値情報などを記憶しておくこともできる。すなわち、情報記憶部１４は、記憶手段として機能する。情報記憶部１４は、情報構成部１５と接続されており、上記各種情報を情報構成部１５に出力する。
【００３２】
情報構成部１５は、状態推定部１３により推定された運転者の状態に基づいて、運転者の状態を誘導する方向を設定する。そして、設定された誘導方向に応じて、情報記憶部１４に記憶されている各種情報を組み合わせて構成し、運転者の状態がより望ましい状態となるように運転者の行動を誘導する情報列を生成する。すなわち、情報構成部１５は、情報構成手段として機能する。情報構成部１５において構成された情報列は、情報出力装置１６に出力される。
【００３３】
情報出力装置１６は、情報構成部１５から入力された情報列を運転者に呈示するものである。情報出力装置１６は、映像情報を表示するためのディスプレイ、音声情報を再生するためのスピーカ、ハンドルやシート等に振動を与えるアクチュエータ、車室内の空気環境を調節するエアコンディショナ等を含んで構成される。すなわち、情報出力装置１６は、出力手段として機能する。
【００３４】
次に、図１，２を参照して、情報提供装置１の動作及び情報提供方法について説明する。図２は、情報提供装置１による情報呈示処理の処理手順を示すフローチャートである。
【００３５】
まず、状態推定部１３において、読み込まれた心拍信号及び画像信号に基づいて運転者の生理状態や心理状態等が推定される。以下、状態推定部１３において運転者が眠気を感じていると推定された場合を例にして説明する。
【００３６】
情報記憶部１４には、運転者の状態と走行環境毎に誘導方向（シナリオ）及び呈示される情報内容が記憶されている。表１は、情報記憶部１４に記憶されている情報の一例を示したものである。
【表１】
2006031475.tif 000003
【００３７】
表１では、運転者の状態として、眠気、疲労、空腹の３つの状態が示されている。なお、運転者の状態がこれらに限られないことはいうまでもなく、さらに多くの状態を記憶しておくこともできる。運転者の状態毎に走行環境による分類が行われている。表１では、一般道又は高速道という分類が示されている。一般道又は高速道の判定は、カーナビゲーションに備えられた地図情報と車両の速度情報等から判定することができる。走行環境は、車両が備えるセンサに応じてさらに細かく、例えば一般道を市街地、郊外、山間路等に分類してもよい。また、時刻など別の要素を加えて走行環境をさらに細かく分類してもよい。
【００３８】
また、運転者の状態と走行環境とに応じて、運転者を誘導する方向（シナリオ）が複数記憶されている。このシナリオは、どのような情報をどのような順序で呈示するかを記述した、呈示情報列に対するラベルである。表１の例では、運転者が眠気を感じており、走行環境が一般道である場合に選択することができるシナリオとして、５つのシナリオが記憶されている。なお、同一の状態、同一の走行環境で、選択可能なシナリオが複数記憶されている場合には、ランダムに選択してもよいし、過去の選択履歴を参照して同一のシナリオが連続しないように選択してもよい。また、他の情報、例えばカーナビゲーションシステムで同定された自車両の位置と周囲に存在する施設（ガソリンスタンド、コンビニエンスストア、公園など）に応じて選択してもよい。さらに、他の方法を採用することもできる。
【００３９】
情報構成部１５では、状態推定部１３から入力された運転者の状態、すなわち、運転者が眠気を感じている状態に対応して、情報記憶部１４に記憶されているシナリオが選択される。そして、選択されたシナリオに応じて、運転者に呈示される情報列が構成され、出力される。ここでは、上記５つのシナリオのうちの一つである、ガソリンスタンドへの誘導が選択された場合について、図２に示されたフローチャートを参照しながら説明する。
【００４０】
ステップＳ１００では、情報出力装置１６を構成するディスプレイに表示されている車両周辺の地図にガソリンスタンドの位置を強調表示する。これにより、運転者がガソリンスタンドの存在に気付き、ガソリンスタンドに立ち寄って車両から降りる可能性を高めることができる。
【００４１】
続くステップＳ１０２では、運転者が、ガソリンスタンドで車両を停止し、降車したか否かについての判断が行われる。ここで、運転者が車両を停止し降車した場合には、処理から抜ける。一方、運転者が降車していない場合には、ステップＳ１０４に処理が移行する。
【００４２】
ステップＳ１０４では、ガソリンスタンド位置の強調表示を開始した後、所定時間（例えば５分間）経過したか否かについての判断が行われる。ここで、所定時間経過していない場合には、ステップＳ１００に処理が移行し、ステップＳ１００〜Ｓ１０４の処理が繰り返し実行される。一方、所定時間経過した場合には、ステップＳ１０６に処理が移行する。
【００４３】
ステップＳ１０６では、ガソリンの残量が所定値以下であるか否かについての判断が行われる。ここで、ガソリン残量が所定値以下の場合には、ステップＳ１０８において、ガソリン残量がディスプレイに表示される。その後、処理がステップＳ１２４に移行する。一方、ガソリン残量が所定値よりも多い場合には、ステップＳ１１０に処理が移行する。
【００４４】
ガソリンの残量表示は、運転者が眠気を感じていないときにも行われるが、眠気を感じていると推定された場合は、そうでない場合と比較して、残量表示を行うか否かを判断するしきい値（所定値）が高め設定される。すなわち、眠気を感じていると推定された場合には、通常よりガソリン残量が多い状態で残量表示が行われる。これによって、運転者がガソリンスタンドに立ち寄る可能性を高めることができる。なお、このとき表示される情報は、ガソリン残量であってガソリンの給油を促す警告ではない。
【００４５】
ステップＳ１１０では、エンジンオイルの汚れ量が所定値以上であるか否かについての判断が行われる。ここで、エンジンオイルの汚れ量が所定値以上の場合には、ステップＳ１１２において、エンジンオイルの汚れ量がディスプレイに表示される。その後、処理がステップＳ１２４に移行する。一方、エンジンオイルの汚れ量が所定値よりも小さい場合には、ステップＳ１１４に処理が移行する。
【００４６】
眠気を感じていると推定された場合は、そうでない場合と比較して、エンジンオイルの汚れ量表示を行うか否かを判断するしきい値（所定値）が低めに設定される。すなわち、眠気を感じていると推定された場合には、エンジンオイルの汚れが通常より少ない状態で汚れ量の表示が行われる。また、ガソリン残量表示と同様に、このとき表示される情報は、エンジンオイルの汚れ量であってエンジンオイルの交換を促す警告ではない。
【００４７】
ステップＳ１１４では、エアフィルタの汚れ量が所定値以上であるか否かについての判断が行われる。ここで、エアフィルタの汚れ量が所定値以上の場合には、ステップＳ１１６において、エアフィルタの汚れ量がディスプレイに表示される。その後、処理がステップＳ１２４に移行する。一方、エアフィルタの汚れ量が所定値よりも小さい場合には、ステップＳ１１８に処理が移行する。
【００４８】
眠気を感じていると推定された場合は、そうでない場合と比較して、エアフィルタの汚れ量表示を行うか否かを判断するしきい値（所定値）が低めに設定される。すなわち、眠気を感じていると推定された場合には、エアフィルタの汚れが通常より少ない状態で汚れ量の表示が行われる。また、ガソリン残量表示と同様に、このとき表示される情報は、エアフィルタの汚れ量であってエアフィルタの交換を促す警告ではない。
【００４９】
ステップＳ１１８では、タイヤの空気圧が所定値以下であるか否かについての判断が行われる。ここで、タイヤ空気圧が所定値以下の場合には、ステップＳ１２０において、タイヤ空気圧がディスプレイに表示される。その後、処理がステップＳ１２４に移行する。一方、タイヤ空気圧が所定値よりも高い場合には、ステップＳ１２２に処理が移行する。
【００５０】
眠気を感じていると推定された場合は、そうでない場合と比較して、タイヤ空気圧の表示を行うか否かを判断するしきい値（所定値）が高めに設定される。すなわち、眠気を感じていると推定された場合には、タイヤ空気圧が通常より高い状態で空気圧の表示が行われる。また、ガソリン残量表示と同様に、このとき呈示される情報は、タイヤの空気圧である。エンジンオイルの汚れ量、エアフィルタの汚れ量、タイヤ空気圧を表示することにより、運転者がガソリンスタンドへ立ち寄ることを促すことが可能となる。
【００５１】
ガソリン残量、エンジンオイル汚れ量、エアフィルタ汚れ量及びタイヤ空気圧がすべて良好な状態にある場合、ステップＳ１２２では、車両の運転を開始してからの経過時間、すなわち連続運転時間をディスプレイに表示する。
【００５２】
続くステップＳ１２４では、運転者が、ガソリンスタンドで車両を停止し、降車したか否かについての判断が行われる。ここで、運転者が車両を停止し降車した場合には、処理から抜ける。一方、運転者が降車していない場合には、ステップＳ１２６に処理が移行する。
【００５３】
ステップＳ１２６では、ガソリン残量、エンジンオイル汚れ量、エアフィルタ汚れ量、タイヤ空気圧又は連続運転時間の表示を開始してから所定時間（例えば５分間）経過したか否かについての判断が行われる。ここで、所定時間経過していない場合には、ステップＳ１０６に処理が移行し、ステップＳ１０６〜Ｓ１２６の処理が繰り返し実行される。一方、所定時間経過した場合には、ステップＳ１２８に処理が移行する。
【００５４】
ステップＳ１２８では、エアコンディショナの設定温度が一定温度（例えば２度）下げられる。車室内の温度を低下することによって、運転者に尿意を催させ、ディスプレイ装置に強調表示されているガソリンスタンドに立ち寄る可能性を高めることができる。
【００５５】
続くステップＳ１３２では、設定温度を低下してから所定時間（例えば５分間）経過したか否かについての判断が行われる。ここで、所定時間経過していない場合には、ステップＳ１３０に処理が移行し、ステップＳ１３０，Ｓ１３２の処理が繰り返し実行される。一方、所定時間経過した場合には、処理を終了する。
【００５６】
本実施形態によれば、運転者の状態を推定し、運転者の状態に応じたシナリオを実現するための複数の情報を組み合わせて呈示することにより、運転者の状態を運転に望ましい状態に誘導することが可能となる。その結果、運転者はより快適に車両の運転を行うことができる。
【００５７】
従来、運転者が眠気を感じていると判定された場合、例えばスピーカから警告音を出力すること等で眠気を防止していた。しかしながら、このような警告方法では、運転者が自分の非を指摘されていると感じ、警告音を不快に感じて、システムを作動しない状態に切り替えてしまうおそれがあった。また、単調な警告方法では運転者に慣れが生じるので、警告の効果が低下するおそれがあった。
【００５８】
本実施形態によれば、複数の情報を運転者の状態に合わせて構成し呈示することにより、運転者に直接的に警告を発することなく、運転者の状態がより望ましい状態となるように、運転者の行動を間接的に誘導することができる。そのため、運転者はシステムに対して不快感を感じることなく、快適に車両の運転を行うことが可能となる。また、同一状態、同一走行環境で選択可能な複数のシナリオを用意することにより、運転者の慣れを防止することができる。
【００５９】
（第２実施形態）
次に、図３を用いて、第２実施形態に係る情報提供装置２の全体構成について説明する。図３は、第２実施形態に係る情報提供装置２の全体構成を示すブロック図である。なお、図３において第１実施形態と同一又は同等の構成要素については同一の符号が付されている。
【００６０】
本実施形態が第１実施形態と異なるのは、車両に搭載されたＥＣＵ１２に構成されていた情報記憶部１４が、車両外部に設置されている基地局（サービスセンタ）２０に設けられている点である。それに伴って、ＥＣＵ１２には、ＥＣＵ１２と基地局２０との間で情報の交換を行う通信モジュール１７が構成されている。一方、基地局２０は、運転者に呈示する情報を記憶する情報記憶部２３の他、ＥＣＵ１２との間で情報の交換を行う通信モジュール２１及び運転者の状態に応じてＥＣＵ１２に送信する情報を選択する情報選択部２２を備えている。その他の構成については、第１実施形態と同一又は同様であるので、ここでは説明を省略する。
【００６１】
通信モジュール１７は、状態推定部１３によって推定された運転者の状態情報等を基地局２０に送信すると共に、基地局２０から送信された様々な情報を受信して、情報構成部１５に出力するものである。通信モジュール２１は、ＥＣＵ１２から送信された運転者の状態情報等を受信して情報選択部２２に出力すると共に、情報選択部２２から出力された様々な情報をＥＣＵ１２に送信するものである。ＥＣＵ１２と基地局２０とは、通信モジュール１７及び通信モジュール２１を介して相互に情報の交換を行うことができるように構成されている。すなわち、通信モジュール１７及び通信モジュール２１は、通信手段として機能する。
【００６２】
情報選択部２２は、通信モジュール２１により受信された運転者の状態情報に応じて、情報記憶部２３に記憶されている様々な情報から、ＥＣＵ１２に送信する情報を選択して通信モジュール２１に出力するものである。
【００６３】
情報記憶部２３は、上記情報記憶部１４と同様に、運転者に呈示する情報を記憶しておくものである。すなわち、情報記憶部２３は、記憶手段として機能する。情報記憶部２３に記憶される情報としては、例えば、静止画や動画の画像情報や音声情報等が挙げられる。また、シートを振動させる強さやタイミング等の数値情報、エアコンディショナの風量、風向きや温度等の数値情報などを記憶しておくこともできる。情報記憶部２３は、情報選択部２２と接続されており、上記各種情報を情報選択部２２に出力する。情報記憶部２３は、情報内容を更新、追加することが可能な構成とされている。なお、この情報の更新、追加は運転者ではなくサービスの提供者により行われる。
【００６４】
次に、情報提供装置２の動作及び情報提供方法について説明する。ここでは、状態推定部１３において運転者が眠気を感じていると推定された場合を例にして説明する。また、運転者に呈示される情報内容が仮想的なラジオ番組を構成することが可能な音声情報である場合を例にして説明する。
【００６５】
状態推定部１３において、運転者が眠気を感じていると推定された場合、その旨の情報が通信モジュール１７から通信モジュール２１へ送信される。通信モジュール２１で受信された、運転者が眠気を感じている旨の情報は、情報選択部２２に出力される。情報選択部２２は、入力された運転者の状態情報、すなわち運転者が眠気を感じているという情報に基づいて、情報記憶部２３に記憶されている音声情報を選択する。情報選択部２２により選択された情報は、通信モジュール２１，通信モジュール１７を介して情報構成部１５に出力される。
【００６６】
ここで、情報記憶部２３には、例えば、表２に示される音声情報（コンテンツ）が記憶されている。
【表２】
2006031475.tif 000004
【００６７】
表２に示されるように、音声情報が、ニュース、音楽、情報等の分野ごとにコンテンツ名、内容を表す種類、時間等の情報が付加された状態で記憶されている。なお、表２ではコンテンツ名が、ニュース１や曲１等と表記されているが、ニュースの内容を適切に表すコンテンツ名や曲のタイトルを用いてもよい。また、情報の分野、種類、数はもっと多く用意してもよい。
【００６８】
情報構成部１５では、通信モジュール１７により受信された音声情報を組み合わせて仮想のラジオ番組が構成される。そして、情報構成部１５において構成された仮想のラジオ番組が、情報出力装置１６を構成するスピーカから出力される。
【００６９】
ここで、通常時には、各コンテンツの出現順（シナリオ）を予め構成して決めておき、そのシナリオに従って呈示していく。例えば、１時間の間に、ニュース５回、曲２回、情報２回、曲３回、情報２回、曲２回、ニュース５回のようにシナリオを構成することで、仮想のラジオ番組を構成すことができる。コンテンツ分野の出現順序については、番組の形態に応じて複数のパターンを用意しておいてもよいし、出現順序や回数の一部をランダムに変更するようにしてもよい。また、時間帯ごとにパターンを用意しておいてもよいし、運転者の好みを学習して変更するようにしてもよい。
【００７０】
各分野で出現するコンテンツの種類は、予め設定された出現割合に応じてランダムに呈示するようにする。例えば、表２に示されるように、ニュース分野では、交通事故ニュースと交通渋滞ニュースがそれぞれ５％の出現割合、経済ニュース、政治ニュース及び社会ニュースがそれぞれ３０％の出現割合となっている。
【００７１】
次に、運転者が眠気を感じている場合について説明する。運転者が眠気を感じていると推定された場合には、運転者の覚醒度を上げる方向に誘導するため、例えば、表３に示されるように、各情報の出現割合が変更される。
【表３】
2006031475.tif 000005
【００７２】
表３に示されるように、ニュース分野では、交通事故ニュース及び交通渋滞ニュースの出現割合が上昇され、その他のニュースの出現割合が低下される。
【００７３】
音楽分野では、ポップス及びロックの出現割合が上昇され、その他の音楽の出現割合が低下される。ジャズやクラシックに比べ、相対的に眠気を催し難い音楽種別を優先して呈示することで、運転者の眠気が継続しないようにすることができる。
【００７４】
情報分野では、クルマや安全運転に関する出現割合が上昇され、その他の情報の出現割合が低下される。例えば、安全運転コンテンツでは、一定時間毎にクルマを停止させて軽い運動をするとよい等の情報を呈示するなどして、運転者に休憩をとらせるように誘導することができる。
【００７５】
各コンテンツの出現割合は、状態推定部１３によって推定された眠気の度合に応じて変更してもよい。また、シナリオ自体も運転者の状態に応じて変更してもよい。例えば、眠気が検出された場合は、ニュース５回、曲１回、情報５回、曲１回、情報５回、曲１回、ニュース５回のように、曲を少なくし、情報コンテンツを多く呈示するようにしてもよい。音声出力（ボリューム）も眠気が検出された場合、安全運転に関するコンテンツだけ大きな音で再生するようにしてもよい。
【００７６】
なお、情報コンテンツとして、映像情報と音声情報とを組み合わせることにより仮想のテレビ番組を構成することもできる。また、映像情報、音声情報、文字情報、その他のコンピュータ読み取り可能な情報を組み合わせることにより、仮想のＷｅｂサイトを構成することもできる。
【００７７】
本実施形態によれば、運転者の状態に応じて、仮想のラジオ番組を構成するコンテンツの出現割合を変更することにより、運転者の状態がより望ましい状態となるように、運転者の行動を誘導することができる。このとき、運転者は仮想のラジオ番組を一般のラジオ番組として認識するため、運転者に不快感を生じさせることなく、快適な運転状態に誘導することが可能となる。
【００７８】
また、本実施形態によれば、情報記憶部２３が、車両外部の基地局２０に設置されているので、記憶容量に起因する制限、例えばコンテンツの種類や量等の制限が緩和されると共に、コンテンツの更新、追加を随時行うことができる。そのため、運転者に呈示されるコンテンツが多様化されるので、通常のラジオ番組と同様に、運転者がコンテンツに慣れてしまうことを防止することが可能となる。
【００７９】
（第３実施形態）
次に、図４を用いて、第３実施形態に係る情報提供装置３の全体構成について説明する。図４は、第３実施形態に係る情報提供装置３の全体構成を示すブロック図である。なお、図４において第２実施形態と同一又は同等の構成要素については同一の符号が付されている。
【００８０】
本実施形態が第２実施形態と異なるのは、第２実施形態の構成に加え、車両外部にある基地局２０に、商品やサービスの購買を促進する情報を記憶する購買促進情報記憶部２５と、それを運転者の状態に応じて選択し、一連の情報列に加える購買促進情報選択部２４とを備えている点である。ここで、商品又はサービスの購買を促進する情報の例としては、ラジオやテレビの商品情報やサービス情報（コマーシャル）等が挙げられる。その他の構成については、第２実施形態と同一又は同様であるので、ここでは説明を省略する。
【００８１】
次に、情報提供装置３の動作について説明する。状態推定部１３において、運転者が眠気を感じていると推定された場合、その旨の情報が通信モジュール１７から通信モジュール２１へ送信される。通信モジュール２１で受信された、運転者が眠気を感じている旨の情報は、情報選択部２２及び購買促進情報選択部２４それぞれに出力される。情報選択部２２は、入力された運転者の状態情報、すなわち運転者が眠気を感じているという情報に基づいて、情報記憶部２３に記憶されている情報を選択する。また、購買促進情報選択部２４は、運転者が眠気を感じているという情報に基づいて、購買促進情報記憶部２５に記憶されている情報を選択する。情報選択部２２により選択された情報及び購買促進情報選択部２４により選択された情報それぞれは、通信モジュール２１，通信モジュール１７を介して情報構成部１５に出力される。
【００８２】
情報構成部１５では、通信モジュール１７により受信された情報が組み合わされて、運転者に呈示する情報のシナリオが構成される。シナリオは、例えば、ニュース５回、コマーシャル３回、曲２回、情報２回、コマーシャル３回、曲３回、情報２回、コマーシャル３回、曲２回、コマーシャル３回、ニュース５回というように構成される。
【００８３】
ここで、運転者が平常状態にある場合、呈示されるコマーシャルは、通常のラジオ番組と同様に予め決められたものである。一方、運転者の状態が平常状態ではない場合には、状態推定部１３により推定された運転者の状態に応じて、呈示されるコマーシャルの内容が変更される。
【００８４】
状態推定部１３により運転者が眠気を感じていると推定された場合には、運転者の覚醒度を上げるための一つの方法として、ガムを噛むように誘導することが挙げられる。したがって、この場合、運転者に呈示されるコマーシャルの内容が、ガムの商品コマーシャルに変更される。この場合、ガムは、運転者の状態をより望ましい状態に誘導するために適切な商品である。ここで、覚醒度を向上させることができるガムの商品コマーシャルを運転者に呈示すれば、運転者がガムを購入するという行動を起す可能性が高まり、運転者の状態をより運転に適した状態に誘導することができる。
【００８５】
このとき、ガムを購入可能な販売店を、ディスプレイに表示された地図上に強調表示するなどしてもよい。また、ガムだけでなく、覚醒度を向上させるコーヒ等の他の商品やマッサージ等のサービスを同様に呈示してもよい。
【００８６】
本実施形態によれば、運転者の状態をより望ましい状態に誘導する商品情報やサービス情報を呈示することにより、運転者が眠気を覚醒させるための行動を起すように誘導することができるので、快適な運転を運転者に提供することが可能となる。なお、運転者の興味が高いコンテンツの直後にコマーシャルを挿入してもよい。この場合には、より効果的に運転者を誘導することができる。
【００８７】
また、呈示されるコマーシャルは、運転者の状態に応じて適切に選択されるので、普通にコマーシャルを呈示する場合よりも宣伝効果を向上させることができる。
【００８８】
（第４実施形態）
次に、図５を用いて、第４実施形態に係る情報提供装置４の全体構成について説明する。図５は、第４実施形態に係る情報提供装置４の全体構成を示すブロック図である。なお、図５において第３実施形態と同一又は同等の構成要素については同一の符号が付されている。
【００８９】
本実施形態が第３実施形態と異なるのは、第３実施形態の構成に加え、購買促進情報選択部２４に接続された選択情報記憶部２６及び選択情報記憶部２６に接続された対価課金部２７を備えている点である。その他の構成については、第３実施形態と同一又は同様であるので、ここでは説明を省略する。
【００９０】
選択情報記憶部２６は、購買促進情報選択部２４により選択されたコマーシャルの回数や時間帯、そのときの運転者の状態等を記憶する。また、対価課金部２７は、選択情報記憶部２６に記憶されている情報に基づいて、商品やサービスの提供者に対してコマーシャル呈示の対価を課金する。
【００９１】
本実施形態によれば、運転者の状態をより望ましい状態に誘導する商品やサービスの情報を呈示した場合に、商品又はサービスを提供する者から、商品やサービスの宣伝広告に対する対価を徴収することが可能になる。
【００９２】
（第５実施形態）
次に、図６を用いて、第５実施形態に係る情報提供装置５の全体構成について説明する。図６は、第５実施形態に係る情報提供装置５の全体構成を示すブロック図である。なお、図６において第１実施形態と同一又は同等の構成要素については同一の符号が付されている。
【００９３】
本実施形態が第１実施形態と異なるのは、第１実施形態の構成に加え、視線検出部１８及び興味分野判定部１９を備えている点である。その他の構成については、第１実施形態と同一又は同様であるので、ここでは説明を省略する。
【００９４】
視線検出部１８は、画像センサ１１により撮像された運転者の顔の画像から、パターン認識やステレオ立体視の理論に基づく処理を行うことにより、運転者の視線方向及び視線の動き等を検出する。すなわち、視線検出部１８は視線検出手段として機能する。検出された運転者の視線方向等の情報は、興味分野判定部１９に出力される。
【００９５】
興味分野判定部１９は、視線検出部１８から入力された運転者の視線方向等の情報に基づいて、運転者が呈示中のコンテンツに興味を持っているか否かを判定する。判定結果は情報構成部１５に出力される。
【００９６】
興味分野判定部１９では、運転者の視線がコンテンツを呈示しているディスプレイ付近に所定時間以上停留している場合に、運転者が呈示中のコンテンツに対して興味を持っていると判断される。これは、カクテルパーティ効果として知られている人間の心理特性を利用したものである。カクテルパーティ効果とは、普通は雑音に埋もれて聞こえないような会話であっても、自分に関係することや興味のあることになると、途端に耳に入る、という人間の心理的な特性である。そのとき、音の方向に頭部や視線が向けられるということは経験的にも明らかである。
【００９７】
より具体的には、運転者がディスプレイを注視しているか否かは次のように判定される。まず、運転者から見たディスプレイを図７に実線で示されるように設定する。図７は、斜め横方向から見た矩形のディスプレイを示している。このディスプレイを示す矩形枠を、運転者の視線角度で所定の角度分、例えば１度分拡張した矩形枠（図７に点線で示される矩形枠）を、運転者がディスプレイを注視している範囲として設定する。
【００９８】
運転者がディスプレイを注視しているとみなされる範囲内に、運転者の視線が所定時間以上、例えば１秒以上停留している場合、運転者がディスプレイを注視していると判定する。この１秒という時間は例示であり、実験的に最適な時間を求めてもよい。また、同一コンテンツの呈示中に複数回の注視が観測された場合には、各注視時間の累計を、そのコンテンツ呈示における累積注視時間として記憶しておき、累積注視時間が所定時間以上である場合に、運転者がディスプレイを注視していると判定してもよい。
【００９９】
情報構成部１５では、興味分野判定部１９から入力された判定結果に基づいて、コンテンツの出現割合が修正される。運転者があるコンテンツに興味を示していると判断された場合、そのコンテンツの出現割合が増大される。ここで、コンテンツの出現割合の修正例を表４に示す。
【表４】
2006031475.tif 000006
【０１００】
表４は、クルマに関するコンテンツを呈示しているときの累積注視時間がもっとも長かった場合における出現割合の変化を示している。通常のクルマコンテンツの出現割合は１０％であるが、修正後の出現割合は２０％に上昇している。それに対して、累積注視時間のもっとも短かった生活コンテンツの出現割合は４０％から３０％に減少している。なお、出現割合の増減幅は、例えば１０％固定とすることができる。また、累積注視時間に応じて調節してもよい。
【０１０１】
本実施形態によれば、運転者が興味を示したコンテンツの出現割合を増大することにより、運転者の興味が高いコンテンツを優先して呈示することができるので、運転者に対する情報の影響力を向上することができ、運転者の行動をより効果的に誘導することが可能となる。
【０１０２】
また、随時、種類の異なるコンテンツを追加して累積注視時間を計測することにより、運転者の興味分野を網羅的に捉えると共に、興味分野の変化を追跡することができる。そため、娯楽装置としての作用をより強めることも可能である。
【０１０３】
以上、本発明の実施の形態について説明したが、本発明は、上記実施形態に限定されるものではなく種々の変形が可能である。例えば、情報提供装置の搭載場所は車両に限られるものではない。また、情報の提供を受ける人は車両の運転者に限られない。
【図面の簡単な説明】
【０１０４】
【図１】第１実施形態に係る情報提供装置の全体構成を示すブロック図である。
【図２】第１実施形態に係る情報提供装置による情報呈示処理の処理手順を示すフローチャートである。
【図３】第２実施形態に係る情報提供装置の全体構成を示すブロック図である。
【図４】第３実施形態に係る情報提供装置の全体構成を示すブロック図である。
【図５】第４実施形態に係る情報提供装置の全体構成を示すブロック図である。
【図６】第５実施形態に係る情報提供装置の全体構成を示すブロック図である。
【図７】運転者の視線の移動軌跡の一例を示す図である。
【符号の説明】
【０１０５】
１，２，３，４，５…情報提供装置、１０…心拍センサ、１１…画像センサ、１２…ＥＣＵ、１３…状態推定部、１４…情報記憶部、１５…情報構成部、１６…情報出力装置、１７…通信モジュール、１８…視線検出部、１９…興味分野判定部、２０…基地局、２１…通信モジュール、２２…情報選択部、２３…情報記憶部、２４…購買促進情報選択部、２５…購買促進情報記憶部、２６…選択情報記憶部、２７…対価課金部。
【図１】
2006031475.tif 000007
【図２】
2006031475.tif 000008
【図３】
2006031475.tif 000009
【図４】
2006031475.tif 000010
【図５】
2006031475.tif 000011
【図６】
2006031475.tif 000012
【図７】
2006031475.tif 000013